(57)【要約】      （修正有）【課題】Ｕ字溝の清掃には、溝蓋の開口、Ｕ字溝の側面に付着した苔、雑草の除去、そしてＵ字溝の底に堆積した泥、土等の浚取り作業はそれぞれか個別の作業であるため作業に要する道具も別々でであったが、これら種別を異にする作業を最も効率的にするためのＵ字溝掃除具を提供する。【解決手段】上面後方部の中央部に固定保持板２を固設してなる浚い板１と、前記固定保持板２に下部を着脱自在に保持される適当な長さを有する保持杆とかなるＵ字溝掃除具であって、前記保持杆の上端部には適当な形状の手持ちを形成してなると共に下端を直角方向に曲折してなる突出片を備え、該突出片の下辺に掻落片を形成してなる。【選択図】図１
0003181409.tif 000002
【実用新案登録請求の範囲】
【請求項１】
上面後方部の中央部に固定保持板を固設してなる浚い板と、前記固定保持板に下部を着脱自在に保持される適当な長さを有する保持杆と、からなるＵ字溝掃除具であって、前記保持杆の上端部には適当な形状の手持ちを形成してなると共に下端を直角方向に曲折してなる突出片を備え、該突出片の下辺に▲掻▼落片を形成してなることを特徴とするＵ字溝掃除具。
【請求項２】
浚い板の外周部には浚い板と一体的に枠板を形成した請求項１記載のＵ字溝掃除具。
【請求項３】
▲掻▼落片は、その下辺が刃物状に形成した請求項１記載のＵ字溝掃除具。
【請求項４】
突出片は、溝蓋の端部間隙部に差し入れ溝蓋をを持ち上げれるに充分な強度を有するようにした請求項１記載のＵ字溝掃除具。
【考案の詳細な説明】
【技術分野】
【０００１】この考案は、道路に沿ってその側辺に設けられるＵ字溝を清掃するための掃除具であって、Ｕ字溝の溝蓋を一時的に取り外し、Ｕ字溝の内部側面に生える雑草の除去、底部に堆積した土、泥の排除等の清掃することのできるＵ字溝掃除具に関する。
【背景技術】
【０００２】従来、Ｕ字の溝掃具はその側面部の雑草の除去、及び底に堆積した土、泥は個々別々の清掃具によって行われてきた。しかし、清掃道具を個々別々に用意することは煩雑である。
【考案の概要】
【考案の解決しようとする課題】
【０００３】従来Ｕ字溝の内部の清掃には、溝蓋の開口、Ｕ字溝の側面に付着した苔、雑草の除去、そしてＵ字溝の底に堆積した泥、土等の浚出作業である。これらの作業はそれぞれが個別の作業であるため作業に要する道具も別々でであった。もっとも、下記特許文献１に示すような「シャベル付きブラシ」のようなものもあったが、しかしこのような清掃用ブラシでは側面の雑草等を効率的に除去できない等の問題点があった。
【課題を解決するための手段】
【０００４】そこで、本考案のＵ字溝掃除具では、上面後方部の中央部に固定保持板を固設してなる浚い板と、前記固定保持板に下部を着脱自在に保持される適当な長さを有する保持杆とかなるＵ字溝掃除具であって、前記保持杆の上端部には適当な形状の手持ちを形成してなると共に下端を直角方向に曲折してなる突出片を備え、該突出片の下辺に▲掻▼落片を形成してしてなるＵ字溝掃除具とすることによって前記の課題を解決した。
【０００５】更に、浚い板の外周部には浚い板と一体的に枠板を形成したことによって浚い板の強度を図ったＵ字溝掃除具とした。
【０００６】又、▲掻▼落片は、その下辺が刃物状に形成することによって一層Ｕ字溝の側面に付着した苔、雑草を効果的にの除去し得るようにした。
しかも、保持杆の下端部より突出▲掻▼落片を溝蓋の端部間隙部に差し入れて、保持杆を持ち上げれることができる。
【０００７】Ｕ字溝の清掃についてＵ字溝の清掃に関係する３点の仕事、即ち第一は、Ｕ字溝上部の溝蓋の開口の初期作業、第二は、Ｕ字溝側面に付着している苔、雑草の除去作業、そして第三はＵ字溝の底部に堆積する土、泥の除去等々に別々の道具を所持してＵ字溝の清掃に当たっていた。けれら複数の作業を一つをコンパクトに組み立てＵ字溝掃除具とすることによりＵ字溝の清掃手早く効率的に行えるようにしたものである。
【考案を実施するための最良の形態】
【０００８】上面後方部の中央部に固定保持板を固設してなる浚い板と、前記固定保持板の下部を着脱自在に保持される適当な長さを有する保持杆とかなるＵ字溝掃除具であって、前記保持杆の上端部には適当な形状の手持ちを形成してなると共に下端を直角方向に曲折してなる突出片を備え、該突出片の下辺に▲掻▼落片を形成してなるＵ字溝掃除具としたものである。
【実施例１】
【０００９】以下、本件考案の実施例について図面、図１〜図６において、浚い板１であって、この浚い板１の上面後方の中央部に固定保持板２を溶接等により固定してある。浚い板１の外周部には枠板３を一体的に周設することにより浚い板１の強度補強してある。【００１０】固定保持板２には複数箇所に上下間隔を異にして上部突出片４と下部に雄ネジ５とがそれぞれ離間位置に固設してある。この固定保持板２に下部を着脱自在に固定させると共に、上部には手持ち部６とからなる操作扞７を一体的に形成してある。この操作扞７の下部には前記突出部１０と、雄ネジ５に対応する間隔で突出部４を挿通する挿通孔８と雄ネジ５を挿通し得る透孔９とがそれぞれ開口せしめてある。【００１１】更に、この操作扞７の下端部はＬ字状にほぼ直角方向に曲折せられた突出部１０が一体的に形成されると共に、この突出部１０の下辺は刃物状１１としてある。【００１２】上記の構成において、固定保持板２には複数箇所に上下間隔を異にする上部突出片４と雄ネジ５に対して前記操作扞７の下部挿通孔８と雄ネジ５とをそれぞれ挿通し、雄ネジ５の位置において雌ネジ１２を螺着して固定保持板２と操作扞７とを着脱自在に一体化することによってＵ字溝掃除具１３とすることができる。【００１３】Ｕ字溝掃除具１３を使用する場合には、雌ネジ５を外脱すれば、浚い板１と操作扞７とはそれぞれ分離するから、Ｕ字溝の溝蓋ａの端部の間隙に突出部１０の先端部を差し込み図５に示すように操作扞７を上に持ち上げれば、溝蓋ａの端部は開口するのでその後は溝蓋ａは人力によって除去できる。【００１４】Ｕ字溝ｂの内部の清掃は、溝蓋ａを取り外した状態で、Ｕ字溝ｂの側壁ｃとＵ字溝の底面ｃである。Ｕ字溝の側壁ｃに付着した泥、苔、雑草の類は、Ｕ字溝掃除具１３から操作扞７を浚い板１から分離させた状態で、Ｕ字溝側壁ｃに発生した苔や雑草は下部突出部１０の下辺はＬ字状刃物状部１１により簡単に▲掻▼き落し作業が可能となる。【００１５】Ｕ字溝底面ｄに堆積した泥、土は、操作扞７と浚い板１の固定保持浚い板２に固定することによりなるＵ字溝掃除具１３の浚い板１を動かすことにより浚え取ればよい。
【産業上の利用の可能性】
【００１６】昨今の住宅環境の変化と昨今の社会的な要請では、Ｕ字溝の清掃等は住民自治会の自治会員が参加して実施することが多いことから本願考案のような安価で、使い勝手のよいＵ字溝掃除具の必要生が要望されている。このようなＵ字溝掃除具が提供されれば、その使用法も簡単であるから、Ｕ字溝の清掃も能率的は捗る、住宅環境の美化整備を図れる。
【図面の簡単な説明】
【００１７】
【図１】Ｕ字溝掃除具の斜視図である
【図２】操作扞の下部と浚い板とを固定した状態を示した断面図である。
【図３】操作扞下部の突出部と刃物状部を示す拡大斜視図である。
【図４】Ｕ字溝掃除具から取り外してしめした操作扞の斜視図である。
【図５】Ｕ字溝の溝蓋に操作杆の下部を差し込みした状態を示した断面図である。
【図６】Ｕ字溝の内部を示す断面図である。
【符号の説明】
【００１８】１．．．浚い板
２．．．固定保持浚い板
３．．．枠板
４．．．上部突出片
５．．．雄ネジ
６  ．．手持ち部
７  ．．操作扞
８  ．．透孔
９  ．．挿通孔
１０．．突出部
１１．．刃物状辺
１２．．雌ネジ
１３．．Ｕ字溝掃除具
ａ  ．．Ｕ字溝の溝蓋
ｂ  ．．Ｕ字溝
ｃ  ．．Ｕ字溝の側壁
ｄ  ．．Ｕ字溝底面
ｅ  ．．被浚い物
【先行技術文献】
【００１９】Ｕ字溝掃除具としてシャベルとブラシとを一体化してなる以下の特許文献がある。
【技術文献１】
実用新案出願公開  平１−８４３８８
【図１】
0003181409.tif 000003
【図２】
0003181409.tif 000004
【図３】
0003181409.tif 000005
【図４】
0003181409.tif 000006
【図５】
0003181409.tif 000007
【図６】
0003181409.tif 000008